(57)【要約】【課題】広い範囲にわたって均一な面発光を実現できる照明器具を提供する。【解決手段】実施形態の照明器具は、取付板と、光源ユニットと、光透過カバーと、反射部材とを備えている。取付板は光反射性を有する光源取付面を有する。光源ユニットは、光源取付面に設けられ、光源取付面の反対側に向けられた発光素子を有する。光透過カバーは、光源取付面に対して空間を隔てて対向する下面光出射部と、下面光出射部から取付板の端部側に向けて突出しつつ空間に面する側面光出射部とを有する。反射部材は、空間を隔てて光透過カバーの側面光出射部および発光素子に対向し、発光素子から出射された光の一部を側面光出射部に向けて反射させる反射面を有する。【選択図】図３
2013196867.tif 000002
【特許請求の範囲】
【請求項１】
光反射性を有する光源取付面を有する取付板と、
前記光源取付面に設けられた光源ユニットであって、前記光源取付面の反対側に向けられた発光素子を有する光源ユニットと、
前記光源取付面に対して空間を隔てて対向する下面光出射部と、前記下面光出射部から前記取付板の端部側に向けて突出しつつ前記空間に面する側面光出射部とを有する光透過カバーと、
前記空間を隔てて前記光透過カバーの前記側面光出射部および前記発光素子に対向し、前記発光素子から出射された光の一部を前記側面光出射部に向けて反射させる反射面を有する反射部材と、
を備えた照明器具。
【請求項２】
前記取付板は、前記端部で前記空間内に突出して設けられた端部リブを有する請求項１記載の照明器具。
【請求項３】
前記取付板は、前記光源ユニットが設けられた部分と前記端部との間に設けられ、前記空間内に突出したリブを有する請求項１または２に記載の照明器具。
【請求項４】
前記下面光出射部と前記側面光出射部との間のコーナー部が湾曲している請求項１〜３のいずれか１つに記載の照明器具。
【請求項５】
前記空間の高さが前記反射部材側から前記取付板の前記端部側に向かうにしたがって低くなるように、前記光透過カバーの前記下面光出射部が傾斜している請求項１〜４のいずれか１つに記載の照明器具。
【発明の詳細な説明】
【技術分野】
【０００１】
本発明の実施形態は、例えばＬＥＤ（Light Emitting Diode）などの発光素子を光源に用いた照明器具に関する。
【背景技術】
【０００２】
近年、室内全体を照明するベースライトの発光素子に、ＬＥＤが使用されている。しかしながら、ＬＥＤは白熱電球及び蛍光管と比較して発光面積が小さく、輝度が高いため、使用者がＬＥＤの輝点をグレア（眩輝）として感じる場合がある。
【先行技術文献】
【特許文献】
【０００３】
【特許文献１】特開２００９−９９２７０号公報
【発明の概要】
【発明が解決しようとする課題】
【０００４】
広い範囲にわたって均一な面発光を実現できる照明器具を提供する。
【課題を解決するための手段】
【０００５】
実施形態の照明器具は、取付板と、光源ユニットと、光透過カバーと、反射部材と、を備えている。前記取付板は、光反射性を有する光源取付面を有する。前記光源ユニットは、前記光源取付面に設けられ、前記光源取付面の反対側に向けられた発光素子を有する。前記光透過カバーは、前記光源取付面に対して空間を隔てて対向する下面光出射部と、前記下面光出射部から前記取付板の端部側に向けて突出しつつ前記空間に面する側面光出射部とを有する。前記反射部材は、前記空間を隔てて前記光透過カバーの前記側面光出射部および前記発光素子に対向し、前記発光素子から出射された光の一部を前記側面光出射部に向けて反射させる反射面を有する。
【発明の効果】
【０００６】
本発明によれば、広い範囲にわたって均一な面発光を実現できる。
【図面の簡単な説明】
【０００７】
【図１】実施形態の照明器具の外観斜視図。
【図２】実施形態の照明器具の断面図。
【図３】図２における左側の照明装置１１の拡大断面図。
【図４】図１において光透過カバー４１及び制御ユニットカバー７１を取り外した状態の斜視図。
【図５】実施形態の照明器具における光源ユニット３１の斜視図。
【図６】実施形態の照明器具における反射部材５１の斜視図。
【図７】実施形態の照明器具における光源ユニット３１及び反射部材５１の斜視図。
【図８】実施形態の照明器具における要部の拡大斜視図。
【図９】他の実施形態による図３に対応する断面図。
【図１０】さらに他の実施形態による図３に対応する断面図。
【図１１】さらに他の実施形態による図３に対応する断面図。
【図１２】さらに他の実施形態による図３に対応する断面図。
【図１３】さらに他の実施形態による図３に対応する断面図。
【図１４】他の実施形態の照明器具の端面図。
【発明を実施するための形態】
【０００８】
以下、図面を参照し、実施形態について説明する。なお、各図面中、同じ要素には同じ符号を付している。
【０００９】
図１は、実施形態の照明器具１の外観斜視図である。  
図２は、照明器具１の断面図である。  
図３は、図２における左側の照明装置１１の拡大断面図である。
【００１０】
照明器具１は、全体として薄い直方体形状に形成され、図１〜３における下側の面を鉛直下方に向けて天井に取り付けられる。
【００１１】
照明器具１は、図１〜３における紙面奥行き方向に延在し、その延在方向を照明器具１の長手方向とする。照明器具１において、長手方向に対して直交する方向（短手方向）のサイズは、長手方向のサイズよりも短い。
【００１２】
照明器具１は、一対の照明装置１１の間に非発光部１２を短手方向に挟んだレイアウトを有する。一対の照明装置１１は、非発光部１２を境に対称配置されている。
【００１３】
一対の照明装置１１および非発光部１２に対して共通に、１枚の取付板（またはシャーシ）２１が設けられている。取付板２１は、例えば金属板である。
【００１４】
取付板２１は、その上面を天井側に向けて天井に取り付けられる。取付板２１における上面の裏側の下面は、光源ユニット３１が取り付けられる光源取付面２２として機能する。
【００１５】
取付板２１の短手方向の端部は下方に折り曲げられ、その端部に、下方に突出した端部リブ２３が設けられている。さらに、端部リブ２３の下端には、端部リブ２３よりも外側に突出したカバー掛け部２４が設けられている。
【００１６】
端部リブ２３及びカバー掛け部２４は、取付板２１の長手方向に連続して延在している。カバー掛け部２４は、端部リブ２３を境に光源取付面２２の反対側に、光源取付面２２に対して平行に突出している。端部リブ２３は、光源取付面２２及びカバー掛け部２４に対して垂直に設けられている。
【００１７】
金属板である取付板２１の下面には例えば白色被覆膜が形成され、光源取付面２２は光源ユニット３１から放出される光に対する拡散反射性を有する。端部リブ２３における光源取付面２２から続く内側の側面、およびカバー掛け部２４の下面にも、例えば白色被覆膜が形成され、それら面も光源ユニット３１から放出される光に対する拡散反射性を有する。
【００１８】
光源取付面２２の下方には、取付板２１、後述する光透過カバー４１および反射部材５１によって区画された空間１０が形成されている。光源取付面２２、端部リブ２３およびカバー掛け部２４の光拡散反射面は、その空間１０に面している。
【００１９】
次に、光源ユニット３１について説明する。
【００２０】
図４は、図１において光透過カバー４１及び制御ユニットカバー７１を取り外した状態の斜視図である。  
図５は、光源ユニット３１の斜視図である。
【００２１】
光源ユニット３１は、基板３２と発光素子３３とを有する。基板３２には図示しない配線が形成され、発光素子３３は基板３２上に搭載（実装）されて配線と電気的に接続されている。
【００２２】
発光素子は、例えば、発光ダイオード（Light Emitting Diode：ＬＥＤ）である。ＬＥＤの活性層の材料として、例えば窒化ガリウム（ＧａＮ）系化合物半導体を用いると、波長５００ナノメータ以下の短波長光が得られる。ただし、活性層の材料は、窒化ガリウム系化合物半導体に限られるものではない。
【００２３】
また、発光素子３３としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００２４】
実施形態においては、例えば、青色光を発光するＬＥＤと、その青色光（励起光）を吸収して黄色光に変換する蛍光体を含む蛍光体層との組み合わせにより、発光素子３３は、青色光と黄色光との混合色として白色や電球色などの光を放出する。
【００２５】
基板３２は、細長いバー形状に形成され、その長手方向に沿って複数の発光素子３３が搭載されている。１つの基板３２と、その１つの基板３２上に搭載された複数の発光素子３３とを１つのユニット単位として、複数の光源ユニット３１が、図４に示すように、取付板２１の長手方向に沿って配列されている。なお、光源ユニット３１は１列に限らず、複数列配列してもよい。
【００２６】
光源ユニット３１は、取付板２１の光源取付面２２に取り付けられ、空間１０内に臨んでいる。基板３２が、光源取付面２２に例えばネジ止めされている。あるいは、基板３２を光源取付面２２に接着してもよい。
【００２７】
基板３２における発光素子３３を搭載した面の反対側の裏面が、光源取付面２２に接触している。したがって、発光素子３３の発光に伴う熱は、基板３２を介して取付板３２に放熱される。
【００２８】
発光素子３３は、光源取付面２２の反対側、すなわち天井面とは反対側の下方に向けられている。例えば、発光素子３３の光軸は、光源取付面２２に対して垂直である。
【００２９】
光源ユニット３１は、取付板２１の端部リブ２３と、制御ユニット（図示省略）が収容される非発光部１２との間の領域における非発光部１２側の位置に設けられている。
【００３０】
図３に示すように、光源取付面２２を基準にして、端部リブ２３の下方への突出長さは、光源ユニット３１の高さ（厚み）よりも大きい。
【００３１】
次に、光透過カバー４１について説明する。
【００３２】
図１に示すように、１つの照明装置１１につき、複数（図示では例えば４つ）の光透過カバー４１が、照明器具１の長手方向に並んで設けられている。
【００３３】
光透過カバー４１は、下面光出射部４２と側面光出射部４３とを有する。ただし、照明器具１の長手方向の端に設けられた光透過カバー４１は、下面光出射部４２及び側面光出射部４３に加えて、端面光出射部４６も有する。
【００３４】
照明器具１の長手方向に配列された１つまたは複数（図示では例えば４つ）の光透過カバー４１をまとめて１つのバー状の光透過カバーとしてみると、長手方向の両端にのみ一対の端面光出射部４６が設けられている。したがって、それら一対の端面光出射部４６の間には、端面光出射部４６に対して平行な仕切りは存在せず、連続した一体の空間が形成されている。すなわち、図２及び図３に示す空間１０が、一対の端面光出射部４６の間に（図において紙面を貫く方向に）連続して続いている。
【００３５】
図３に示すように、光透過カバー４１の下面光出射部４２は、取付板２１の光源取付面２２に対して平行に空間１０を隔てて対向している。
【００３６】
下面光出射部４２における光源ユニット３１から遠い側の端部（照明器具１の短手方向の端部）には、取付板２１の端部側に向けて突出した側面光出射部４３が、下面光出射部４２と一体に設けられている。
【００３７】
側面光出射部４３は、取付板２１の端部リブ２３及びカバー掛け部２４の外側で、下面光出射部４２及び光源取付面２２に対して垂直に延在している。
【００３８】
側面光出射部４３の上端には、内側に突出した取付部４４が側面光出射部４３に一体に設けられている。取付部４４は、取付板２１のカバー掛け部２４に対して平行に、カバー掛け部２４の上面に重ねられている。それらカバー掛け部２４と取付部４４とが重ねられた部分は、例えば、ネジ止め、接着などにより固定される。
【００３９】
下面光出射部４２は、空間１０の底で空間１０に面している。側面光出射部４３は、空間１０の短手方向の端部で空間１０に面している。
【００４０】
光透過カバー４１は、下面光出射部４２、側面光出射部４３および取付部４４が一体に成形された例えば樹脂材料からなる。そして、光透過カバー４１は、発光素子３３から放出される光に対して拡散透過性を有する。
【００４１】
例えば、樹脂材料に粉末または微細粒子状の酸化チタンなどの光拡散物質を分散させて、光透過カバー４１に光拡散性を与えている。あるいは、樹脂材表面に微小凹凸を形成して、光透過カバー４１に光拡散性を与えてもよい。
【００４２】
次に、反射部材５１について説明する。
【００４３】
図６は、反射部材５１の斜視図である。  
図７は、反射部材５１に対して光源ユニット３１が位置決めされた状態を表す斜視図である。  
図８は、図３に対応する部分の斜視図である。図８に示す光透過カバー４１は、照明器具１の長手方向の端に位置しない光透過カバー４１であり、前述した端面光出射部４６を有さない。
【００４４】
反射部材５１は、直角をなす２つの板状部からなるアングル部５４と、三角柱状の突出部５５とを有する。突出部５５は、アングル部５４の側面に一体に設けられ、図３に示すように、空間１０内に突出している。突出部５５における空間１０側には、反射面５２が形成されている。
【００４５】
反射部材５１は、アングル部５４と突出部５５とが一体に成形された樹脂材料からなり、表面には金属膜が形成されている。この金属膜は、発光素子３３から放出される光に対する反射性を有する。すなわち、反射面５２は、発光素子３３から放出される光に対する反射性を有する。あるいは、反射部材５１は、その反射面５２が鏡面性を有する金属製であってもよい。
【００４６】
反射面５２は、空間１０を隔てて、光透過カバー４１の側面光出射部４３に対向している。また、反射面５２は、発光素子３３の下方に位置し、空間１０を隔てて、発光素子３３に対向している。
【００４７】
反射面５２は、凹状の曲面と、平面とが組み合われた面である。反射面５２において、発光素子３３に近い上部は曲面であり、その曲面と下端との間は平坦な傾斜面となっている。曲面と傾斜面とは連続して形成されている。傾斜面は、発光素子３３側から、光透過カバー４１の下面光出射部４２に向かって下向き傾斜している。
【００４８】
なお、反射面５２は、曲面だけから形成されてもよいし、平坦な傾斜面だけから形成されてもよい。
【００４９】
図３に示すように、反射部材５１は、取付板２１と、光透過カバー４１の下面光出射部４２との間に挟まれている。アングル部５４の上面は光源ユニット３１とは反対側の非発光部１２側に突出し、取付板２１の下面に接触している。そのアングル部５４の上面は、取付板２１に対して、ネジ止め、接着などにより固定されている。
【００５０】
光透過カバー４１の下面光出射部４２における側面光出射部４３とは反対側の端部は、反射部材５１の突出部５５の下面に接触し、例えばネジ止め、接着などにより突出部５５の下面に固定されている。
【００５１】
図６に示すように、突出部５５の上面には、リブ状の複数の位置決め部５３が設けられている。そして、図７に示すように、光源ユニット３１の基板３２の幅方向（短手方向）の一方の端面が位置決め部５３の先端面に当接することで、反射部材５１に対して光源ユニット３１が位置決めされる。
【００５２】
基板３２における発光素子３３が搭載された部分以外の表面には、発光素子３３が放出する光に対して反射性を有する例えば白色樹脂膜が形成されている。あるいは、光反射シートを基板３２表面上に設けてもよい。すなわち、基板３２の表面（図３において下面）も反射面となっている。その基板３２表面の反射面は、図３に示すように、反射部材５１に対して接触しておらず、反射部材５１は基板３２表面の反射機能を阻害していない。
【００５３】
図３に示すように、発光素子３３の直下には、反射面５２の凹状の曲面が位置している。凹状の曲面は、発光素子３３の上面、光源取付面２２および光透過カバー４１の側面４３ａに対して非平行、すなわち傾いた状態で、発光素子３３、光源取付面２２および側面４３ａに対向している。
【００５４】
その凹状の曲面から続く傾斜面は、発光素子３３から離れつつ、光透過カバー４１の下面光出射部４２に向けて延びている。その傾斜面は、光源取付面２２及び側面４３ａに対して非平行、すなわち傾いた状態で、光源取付面２２及び側面４３ａに対向している。
【００５５】
図１及び図２に示すように、取付板２１における短手方向の中央部分には、制御ユニットカバー７１が設けられている。制御ユニットカバー７１は、照明器具１の長手方向に延在している。制御ユニットカバー７１の内側の空間内には、図示しない制御ユニットが収容されている。その制御ユニットは、発光素子３３に電力を供給し、発光素子３３の点灯を制御する。
【００５６】
照明器具１は、光透過カバー４１の下面（下面光出射部４２の下面）４２ａを、鉛直下方に向けて天井に取り付けられる。そして、後述するように、発光素子３３から放出された光は、光透過カバー４１の下面４２ａと側面４３ａから、照明器具１の外部に出射される。さらに、照明器具１の長手方向の端の端面光出射部４６からも、照明器具１の外部に光が出射される。
【００５７】
光源ユニット３１は、図４に示すように、照明器具１の長手方向に沿って複数（例えば図示では４つ）に分割されている。反射部材５１も、光源ユニット３１に合わせて、照明器具１の長手方向に沿って複数（４つ）に分割されている。光透過カバー４１も、光源ユニット３１に合わせて、図１に示すように、照明器具１の長手方向に沿って複数（４つ）に分割されている。
【００５８】
照明器具１の長手方向に並べる光源ユニット３１、反射部材５１および光拡散カバー４１の数を、照明器具１の長手方向サイズに応じて変えることで、照明器具１の長手方向サイズの違いに柔軟に対応できる。
【００５９】
なお、光源ユニット３１と反射部材５１とは１対１対応での組み合わせに限らず、例えば光源ユニット３１の２倍の長さの１つの反射部材５１に対して、２つの光源ユニット３１を組み合わせてもよい。この場合、照明器具１の長手方向サイズに応じて、光源ユニット３１の個数を２の倍数個ずつ変えることで、反射部材５１の長手方向に光源ユニット３１が存在しない無効領域が生じるのを避けることができる。光透過カバー４１の、光源ユニット３１や反射部材５１に対する対応関係も同様である。
【００６０】
次に、実施形態の照明器具１の作用について、主に、図３を参照して説明する。
【００６１】
発光素子３３から放出された光の一部は、その下方に設けられた反射面５２で鏡面反射する。この反射光の一部は、取付板２１の光源取付面２２に向かって進み、光源取付板２２で拡散反射して、光透過カバー４１の下面光出射部４２に入射し、下面光出射部４２を拡散透過して、下面４２ａから照明器具１の下方に出射する。
【００６２】
また、上記反射光の一部は、直接、下面光出射部４２に入射し、下面光出射部４２を拡散透過して、下面４２ａから照明器具１の下方に出射する。また、発光素子３３から放出された光の一部は、反射面５２を経由せずに直接下面光出射部４２に入射し、下面光出射部４２を拡散透過して、下面４２ａから照明器具１の下方に出射する。
【００６３】
取付板２１の光源取付面２２で反射した光は、反射率が１の完全拡散に近い状態で、複数の角度で拡散反射する。このため、光源取付面２２で拡散反射した光は、光透過カバー４１の下面光出射部４２の全面にわたって均一に導かれ、さらに下面光出射部４２に入射した光は下面光出射部４２を拡散透過して、下面４２ａから出射する。したがって、下面４２ａの広範囲にわたり均一な発光面が得られる。すなわち、照明器具１の下方にいる使用者から見た下面４２ａの明るさ（輝度）が、使用者の視点の角度にかかわらず同じランバート配光を実現できる。
【００６４】
また、発光素子３３は、照明器具１の下方にいる使用者から見て反射部材５１によって隠されており、直接視認されないため、使用者が感じるグレアを抑制できる。
【００６５】
また、上記反射面５２での反射光の一部は、照明器具１の短手方向の外側に向かって進み、直接、光透過カバー４１の側面光出射部４３に入射し、側面光出射部４３ａを拡散透過して、側面４３ａから照明器具１の短手方向の外側に出射する。また、上記反射光の一部は、光源取付面２２で拡散反射して側面光出射部４３に入射し、側面光出射部４３ａを拡散透過して、側面４３ａから照明器具１の短手方向の外側に出射する。
【００６６】
側面４３ａからの光出射により、照明器具１の周辺の天井面側に配光することができる。これにより、間接照明効果により使用者がいる空間の明るさ感を増すことができるとともに、空間の広がりや奥行き感を創りあげることが可能となる。
【００６７】
グレアは周囲が暗いほど強く感じる傾向がある。したがって、側面４３ａからの出射光で照明器具１周辺の天井面が照らされることで、照明器具１の見かけの発光面積を大きくすることができ、輝度分布の均一性を向上させ、グレアをよりいっそう低減することができる。
【００６８】
ここで、比較例として、発光素子を、取付板（シャーシ）とこれに対向する光透過カバーの下面との間の空間に臨ませて取付板に取り付けた構造において、取付板と光透過カバーの下面との間の距離をある程度長くして、発光素子からカバー側面に対して斜めに直接入射する成分を多くして、器具側面からの出射光量を多くする構造が考えられる。しかし、この構造は、照明器具の厚みを増大させ、コストアップにつながる。
【００６９】
これに対して、実施形態によれば、発光素子３３の下方に設けられ、光源取付面２２及び側面光出射部４３の双方に対して対向した反射面５２で、発光素子３３から放出された光を鏡面反射させて側面４３ａへと導く。
【００７０】
この実施形態の構造では、取付板２１と光透過カバー４１との間の空間１０の高さが低くても、反射面５２での反射光を照明器具１の短手方向（図３における横方向）を進ませて、あるいは光源取付面２２で反射させて、側面４３ａへと導くことができる。したがって、照明器具１の厚みの増大を抑えつつ、側面４３ａからの出射光量の増大を図れる。
【００７１】
図９は、図３に対応する部分の他の実施形態を表す。
【００７２】
この実施形態によれば、光透過カバー４１における下面光出射部４２と側面光出射部４３との間のコーナー部４５が湾曲している。図９の断面において、側面４３ａの下端から下方への延長線と、側面４３ａとコーナー部４５の外側の曲面との境界を通る接線とがなす角度θが、例えば２５°以下（０°より大きい）である。
【００７３】
このような湾曲したコーナー部４５に入射して拡散透過する光は、直角のコーナー部に入射して拡散透過する光に比べて、側面４３ａの外側の上方に位置する天井面に向かいやすくなる。これにより、照明器具周辺の天井面への配光性を高めることができる。
【００７４】
取付板２１に設けた端部リブ２３は、照明器具全体の剛性を高める。さらに、端部リブ２３における内側の側面は、空間１０に面し、反射部材５１の反射面５２に対向している。したがって、端部リブ２３の側面も、光源取付面２２と同様に、光の拡散反射面として機能する。
【００７５】
反射部材５１の反射面５２での反射光の一部は、端部リブ２３の側面で拡散反射され、光透過カバー４１の下面光出射部４２の端部付近へと入射する。これにより、光源ユニット３１側に比べて光出射量が少なくなりがちな端部側における下面光出射部４２からの出射光量の増大を図れ、発光面のよりいっそうの均一化を図れる。
【００７６】
端部リブ２３は、光透過カバー４１の取付部４４に重なる位置および取付部４４の上方に設けられ、側面光出射部４３にはほとんど重なっていない。例えば、端部リブ２３の突出長さは、側面光出射部４３の高さの１／２以下、あるいは５ｍｍ以下が望ましい。このように端部リブ２３の突出長さを適切に設定することで、照明器具の剛性を確保しつつ、側面４３ａから見たときに端部リブ２３が影にならず、側面４３ａからの光出射を大きく妨げない。
【００７７】
また、図１０に示すように、端部リブ２３の外側の側面と、側面光出射部４３との間に、空間１０に通じる隙間１０ａを形成すると、その隙間１０ａに導かれる光により隙間１０ａを光らせることができ、側面４３ａから見たときの端部リブ２３の影を抑制できる。
【００７８】
図１１は、取付板２１の他の実施形態を表す。
【００７９】
この実施形態では、取付板２１における光源ユニット３１が設けられた部分と、端部リブ２３との間に、リブ２５が設けられている。リブ２５は、山型に空間１０内に突出している。リブ２５は、照明器具の長手方向（図１１において紙面を貫く方向）に連続して延びている。
【００８０】
光透過カバー４１の下面光出射部４２の平面サイズを大きくすると発光面を大きくできる。下面光出射部４２の平面サイズの増大は、取付板２１も含めた照明器具全体の平面サイズを増大させる。取付板２１において、光源ユニット３１の基板３２が取り付けられた部分と、端部リブ２３が設けられた部分は、他の部分よりも剛性が高い。そして、本実施形態によれば、さらに、光源取付部と端部リブ２３との間の部分にもリブ２５を設けることで、照明器具の平面サイズ増大にともなって要求される剛性を補うことができる。
【００８１】
また、リブ２５における、空間１０に面する表面は、光の拡散反射面としても機能する。リブ２５は、例えば山型に形成され、頂部を挟んだ一方の傾斜面が反射部材５１の反射面５２に対向している。したがって、反射部材５１の反射面５２での反射光の一部は、リブ２５の傾斜面で拡散反射され、光透過カバー４１の下面光出射部４２の短手方向の中央付近へと入射する。
【００８２】
下面光出射部４２において、光源側と、前述したように反射部としても機能する端部リブ２３が設けられた端部は相対的に輝度が高くなる傾向にあり、それらの中間部分は相対的に輝度が低下する可能性が懸念される。しかしながら、本実施形態によれば、光源側と端部との間に設けたリブ２５によって、光源と端部との間の下面光出射部４２の中央付近への入射光の増大を図れ、結果として、発光面（下面４２ａ）の輝度の均一化を図れる。
【００８３】
リブ２５の数は、２つに限らず、要求される剛性や、下面４２ａの輝度分布に応じて、適切に設定される。また、リブ２５の表面は曲面であってもよい。
【００８４】
反射部材５１の反射面５２から見て端部リブ２３の側面が隠れないように、リブ２５の空間１０内への突出長さは適切に設定される。また、リブ２５を複数設ける場合には、より端部側のリブ２５が反射面５２から見て手前側のリブ２５に隠れないようにすることが望ましい。
【００８５】
図１２は、光透過カバー４１の他の実施形態を表す。
【００８６】
この実施形態では、空間１０の高さ（光源取付面２２と下面光出射部４２との間の距離）が、反射面５２側から取付板２１の端部側に向かうにしたがって小さくなるように、光透過カバー４１の下面光出射部４２が傾斜している。
【００８７】
下面光出射部４２において、空間１０に面する内側の上面（光入射面）、および外側の下面（光出射面）４２ａが、発光素子３３の光軸に対して傾いている。このため、下面光出射部４２が発光素子３３の光軸に対して垂直な場合に比べて、下面光出射部４２における光源から遠い端部側に対して、より損失を抑えた短い伝播距離で光を入射させることができる。この結果、下面４２ａの下方に出射される光の輝度分布の均一化を図りやすい。
【００８８】
光透過カバー４１における光透過率は、光透過カバー４１全体で一様であることに限らない。例えば、下面光出射部４２における光源側よりも端部側の光透過率を高くして、光源より遠い端部側の輝度低下を補い、発光面全体の輝度むらを抑えることができる。
【００８９】
また、側面光出射部４３の光透過率を下面光出射部４２よりも高くすることで、側面４３ａから天井面側へ出射される光量を増大させ、間接照明効果を高めることができる。
【００９０】
光透過カバー４１の光透過率を部分的に変化させるにあたっては、例えば、発光素子３３から放出される光に対する透過性と反射性を有する反射体を、光透過カバー４１に塗布または印刷法などで形成する方法が挙げられる。あるいは、光透過カバー４１の厚みを変えて、光透過率を制御することもできる。
【００９１】
図１３は、取付板２１に対する光源ユニット３１の取付構造の他の実施形態を表す。
【００９２】
光源ユニット３１は、取付板２１に形成したリブ２６の傾斜面に取り付けられている。発光素子３３は、反射面５２よりも端部側に位置する下面光出射部４２に向けられており、発光素子３３の光軸は、下面光出射部４２の内側の上面（光入射面）および外側の下面（光出射面）４２ａに対して傾いている。また、発光素子３３の光軸は、側面光出射部４３の内側の側面（光入射面）および外側の側面（光出射面）４３ａに対して平行ではなく傾いている。
【００９３】
このため、下面４２ａにおける光源から遠い端部側、および側面４３ａに効率よく光を入射させ、結果として、広い範囲にわたって均一な面発光を実現しやすい。
【００９４】
また、この場合でも、発光素子３３は、照明器具１の下方にいる使用者から見て反射部材５１によって隠されており、直接視認されないため、使用者が感じるグレアを抑制できる。
【００９５】
取付板（シャーシ）に対して光軸を平行または傾けるいわゆるサイドビュー構造を実現するにあたっては、取付板に対して別の部材（アングル部材など）を取り付け、その部材に光源ユニットの基板を取り付ける構造が挙げられる。しかし、この構造では、光源ユニットの基板は、比較的広い面を有し放熱性に優れた取付板（シャーシ）に対して直接接触しないため、光源ユニット側から取付板への放熱性の低下が懸念される。
【００９６】
これに対して、図１３に示す実施形態によれば、取付板２１自体を加工してリブ２６を設け、取付板２１の一部であるリブ２６に光源ユニット３１の基板３２を接触させて取り付ける。このため、放熱性を損なわずに、なおかつ剛性を向上させることができる。
【００９７】
図１４は、他の実施形態の照明器具における長手方向の端面の端面図である。
【００９８】
この実施形態では、光透過カバー８１の下面８２ａが、非発光部１２の制御ユニットカバー７１よりも下方に突出している。例えば、下面８２ａは凸状の曲面である。あるいは、下面８２ａは、地平面や床面に対して平行な平面であってもよい。光透過カバー８１における他の部分の構成、材料、機能等は、前述した実施形態の光透過カバー４１と同じである。
【００９９】
発光部分である光透過カバー８１の下面８２ａを非発光部１２の下面よりも下方に突出させることで、照明器具の真下以外の位置にいる使用者にとって、特定角度から照明器具を見た際に発光面と発光面との間に暗部を見えなくすることができ、不快感を感じさせない。
【０１００】
また、暗部（非発光部１２）よりも突出した発光面（下面８２ａ）からの出射光で暗部を照らすことで、照明器具の真下など、暗部を視認できる位置にいる使用者にとって、暗部と発光部とのコントラスト差を低減できる。
【０１０１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０２】
１…照明器具、１０…空間、１１…照明装置、１２…非発光部、２１…取付板、２２…光源取付面、２３…端部リブ、２５，２６…リブ、３１…光源ユニット、３２…基板、３３…発光素子、４１，８１…光透過カバー、４２…下面光出射部、４２ａ，８２ａ…下面、４３…側面光出射部、４３ａ…側面、５１…反射部材、５２…反射面、７１…制御ユニットカバー
【図２】
2013196867.tif 000003
【図３】
2013196867.tif 000004
【図９】
2013196867.tif 000005
【図１０】
2013196867.tif 000006
【図１１】
2013196867.tif 000007
【図１２】
2013196867.tif 000008
【図１３】
2013196867.tif 000009
【図１４】
2013196867.tif 000010
【図１】
2013196867.tif 000011
【図４】
2013196867.tif 000012
【図５】
2013196867.tif 000013
【図６】
2013196867.tif 000014
【図７】
2013196867.tif 000015
【図８】
2013196867.tif 000016